(57)【要約】      （修正有）【課題】ファイルホルダーにおいて、構造を強化し、且つ、同じ厚さの紙質のファイルホルダーと比べて製造コストを抑え、更に、異色層及び多様色彩を具備することを可能とする。【解決手段】板体Aの中央区段10に少なくとも１つの折り曲げ部13を有し、板体Aは上記折り曲げ部13で折り曲げられ、折り曲げられた上記板体Aは第一面板11及び第二面板12を有し、又、上記板体A内側に収納部20を具備し、収納部20は予定数量の収納空間21A,21B,21C,21Dを具備することにより、予設型式の文件を収納することができ、且つ、板体Aは多層構造であり、多層構造の中央層A1は少なくとも１つの発泡プラスチックによって構成され、中央層A1の両側の表面にはそれぞれ１枚のプラスチック製表面層A2、A3が貼り付けられた構造である。【選択図】図１
0003106107.tif 000002
【実用新案登録請求の範囲】
【請求項１】
板体(A)の中央区段(10)に少なくとも１つの折り曲げ部(13)を有し、上記板体(A)は上記折り曲げ部(13)で折り曲げられ、折り曲げられた上記板体(A)は第一面板(11)及び第二面板(12)を有し、又、上記板体(A)内側に収納部(20)を具備し、上記収納部(20)は予定数量の収納空間(21A, 21B, 21C,
21D)を具備することにより、予設型式の文件を収納することが可能である構成であり、
且つ、上記板体(A)は多層構造であり、上記多層構造の中央層(A1)は少なくとも１つの発泡プラスチックによって構成され、上記中央層(A1)の両側の表面にはそれぞれ１枚のプラスチック製表面層(A2、A3)が貼り付けられる構造であることを特徴とするファイルホルダー。
【請求項２】
上記板体(A)の上記中央層(A1)は多層の発泡プラスチックによって構成してあることを特徴とする請求項１記載のファイルホルダー。
【請求項３】
上記板体(A)の上記中央層(A1)と２つの上記表面層(A2、A3)が異なる色であり或いは異なる模様であることを特徴とする請求項１記載のファイルホルダー。
【請求項４】
上記収納部(20)の収納空間(21A,21B,21C,21D)は大型紙、賞状、プリント紙、図表、写真、フィルム、名刺等の各式文件を収納することが可能である構成としたことを特徴とする請求項１記載のファイルホルダー。
【考案の詳細な説明】
【技術分野】
【０００１】
本考案はファイルホルダーに係り、特に、ファイルホルダーの板材を多層構造として、構造を強化でき、且つ、製造コストを抑えることができ、更に、多色層及び多様性を具備することができる実用的なファイルホルダーの構造に関する。
【背景技術】
【０００２】
従来のファイルホルダーの構造は、一般的には板材が紙質或いはプラスチック製の材質であるものである。
【考案の開示】
【考案が解決しようとする課題】
【０００３】
この種のファイルホルダーは以下の欠点があり、改良が待たれている。
１．ファイルホルダー内に一定重量のファイルを挟む時、紙質の板材が薄すぎた場合、ファイルホルダーが柔らか過ぎて、ファイルの重量に耐えられず折り曲げられてしまう。又、紙質板材の厚さを厚くすれば、プラスチック材よりコストがかかり過ぎてしまう。仮に紙質板材の厚さを厚くし、強度の問題を改善したとしても、紙質であるため、空気中の湿度或いは水の浸透を防ぐことができないため、紙質のファイルホルダーは一定期間使用後には軟化してしまう。
２．業者はコストを押えるため及び紙質による問題を改善するために、プラスチック製板材により、ファイルホルダーを製造するけれども、プラスチック製板材が薄すぎた場合、やはり柔らか過ぎて、ファイルの重量の負荷に耐えることができない。又、プラスチック製板材は単色設計成型されるため、ファイルホルダーの外観は異色性、多様色彩を具備することができない。
【０００４】
本考案人は上記課題に取り組み、関係する製品の開発及び設計に従事し、上記の目標に焦点をしぼり、研究を行ない、設計をより精密にし、試験と評価を繰り返し、ついに実用性のある本考案を完成した。
【０００５】
本考案は、上記の欠点を解決したファイルホルダーを提供することを目的とする。
【０００６】
即ち、本考案の主な目的は、一種のファイルホルダーの構造を提供するもので、主な特徴は、板材が多層構造であることにより、ファイルホルダーの構造を強化でき、且つ、製造コストを押えることができ、更に、異色層及び多様色彩を具備することができる実用的なファイルホルダーの構造を提供することである。
【課題を解決するための手段】
【０００７】
本考案は、板体(A)の中央区段(10)に少なくとも１つの折り曲げ部(13)を有し、上記板体(A)は上記折り曲げ部(13)で折り曲げられ、折り曲げられた上記板体(A)は第一面板(11)及び第二面板(12)を有し、又、上記板体(A)内側に収納部(20)を具備し、上記収納部(20)は予定数量の収納空間(21A,21B,21C,21D)を具備することにより、予設型式の文件を収納することが可能である構成であり、
且つ、上記板体(A)は多層構造であり、上記多層構造の中央層(A1)は少なくとも１つの発泡プラスチックによって構成され、上記中央層(A1)の両側の表面にはそれぞれ１枚のプラスチック製表面層(A2、A3)が貼り付けられる構造であることを特徴とする。
【０００８】
上記板体(A)の上記中央層(A1)は多層の発泡プラスチックによって構成してもよい。上記板体(A)の上記中央層(A1)と２つの上記表面層(A2、A3)が異なる色であり或いは異なる模様であってもよい。
【考案の効果】
【０００９】
１．本考案のファイルホルダーの板材(A)は多層構造であり、中央層(A1)は少なくとも１つの発泡プラスチックによって構成され、中央層(A1)の両側の表面にはそれぞれ１枚のプラスチック製表面層(A2,A3)が貼り付けられる構造により、ファイルホルダーの強度を高めることができ、更に製造コストを低く抑えることができ、故に、本考案のファイルホルダー(20)は構造強化及びコスト削減効果を具備することができる。
【００１０】
２．本考案のファイルホルダーの板材(A)は多層構造であることにより、上記多層構造の中央層(A1)は少なくとも１つの発泡プラスチックによって構成され、上記中央層(A1)の両側の表面にはそれぞれ１枚のプラスチック製表面層(A2、A3)が貼り付けられる構造により、異色層及び多様色彩を具備することができる実用的なファイルホルダーの構造を提供することができる。
【考案を実施するための最良の形態】
【００１１】
次に本考案の実施の形態について説明する。
【実施例１】
【００１２】
図１は本考案の実施例１のファイルホルダーの構造の閉じた状態を示し、図２はファイルホルダーの板材の構造を示す。ファイルホルダーは、主に板体(A)の中央区段(10)に少なくとも１つの折り曲げ部(13)を有し、上記板体(A)は上記折り曲げ部(13)で折り曲げられ、折り曲げられた上記板体(A)は第一面板(11)及び第二面板(12)を有する。又、上記板体(A)内側に収納部(20)を具備する。上記収納部(20)は予定数量の収納空間(21A, 21B, 21C,
21D)を具備することにより、予設型式の文件を収納することが可能である。上記板体(A)は多層構造であり、上記多層構造の中央層(A1)は少なくとも１つの発泡プラスチックによって構成される。上記中央層(A1)の両側の表面にはそれぞれ１枚のプラスチック製表面層(A2、A3)が貼り付けられる。
【００１３】
上記構造により、ファイルホルダーの構造を強化でき、且つ、製造コストを押えることができ、更に、異色層及び多様色彩を具備することができる。
【００１４】
図３に示すように、上記板体(A)の上記中央層(A1)は多層の発泡プラスチックによって構成することもできる。
【００１５】
上記板体(A)の上記中央層(A1)と２つの上記表面層(A2、A3)が異なる色でもよいし、異なる模様でもよい。
【００１６】
上記収納部(20)は超音波圧力結合方式により上記板体(A)の上記中央区段(10)に設置することができる。図４中、符号Ｂは超音波圧力結合部位である。
【００１７】
図５に示すように、上記収納部(20)は固定ネジ(30)により上記板体(A)の上記中央区段(10)に設置することもできる。
【００１８】
図６に示すように、上記収納部(20)は脱着式ホルダー(40)により上記板体(A)内側の適当な位置に設置することもできる。
【００１９】
図７に示す如く、上記収納部(20)の収納空間(21A)は賞状、プリント紙、図表等の大型紙(51)を収納することもできる。
【００２０】
図８に示す如く、上記収納部(20)の収納空間(21B)は写真(52)を収納することもできる。
図９に示す如く、上記収納部(20)の収納空間(21C)はフィルム(53)を収納することもできる。
【００２１】
図10に示す如く、上記収納部(20)の収納空間(21D)は名刺(54)を収納することもできる。
【００２２】
上記において本考案の構成、特徴及び部分の位置関係を説明したが、貴審査委員が更に詳しい本考案の目的、特徴及び効果を理解できるように、以下において、本考案の効果及び長所を詳述する。
１．本考案のファイルホルダーの上記板体(A)は多層構造であり、上記多層構造の中央層(A1)は少なくとも１つの発泡プラスチックによって構成され、上記中央層(A1)の両側の表面にはそれぞれ１枚のプラスチック製表面層(A2、A3)が貼り付けられる構造により、ファイルホルダーの構造を強化でき、且つ、製造コストを押えることができる実用的なファイルホルダーの構造を提供することができる。
２．本考案のファイルホルダーの上記板体(A)は多層構造であり、上記多層構造の中央層(A1)は少なくとも１つの発泡プラスチックによって構成され、上記中央層(A1)の両側の表面にはそれぞれ１枚のプラスチック製表面層(A2、A3)が貼り付けられる構造により、異色層及び多様色彩を具備することができる実用的なファイルホルダーの構造を提供することができる。
【図面の簡単な説明】
【００２３】
【図１】本考案のファイルホルダーの閉じた状態の立体図である。
【図２】本考案のファイルホルダーの板材の断面図である。
【図３】本考案のファイルホルダーの板材の別の実施例の断面図である。
【図４】本考案のファイルホルダーの収納部の結合形態の第一実施例図である。
【図５】本考案のファイルホルダーの収納部の結合形態の第二実施例図である。
【図６】本考案のファイルホルダーの収納部の結合形態の第三実施例図である。
【図７】本考案のファイルホルダーの収納部の構造形態の第一実施例図である。
【図８】本考案のファイルホルダーの収納部の構造形態の第二実施例図である。
【図９】本考案のファイルホルダーの収納部の構造形態の第三実施例図である。
【図１０】本考案のファイルホルダーの収納部の構造形態の第四実施例図である。
【符号の説明】
【００２４】
Ａ  板体
Ａ１  中央層
Ａ２，Ａ３  表面層
Ｂ  超音波圧合部位
１０  中央区段
１１  第一面板
１２  第二面板
１３  折り曲げ部
２０  収納部
２１Ａ、２１Ｂ、２１Ｃ、２１Ｄ  収納空間
３０  固定ネジ
４０  脱着式ホルダー
５１  大型紙
５２  写真
５３  フィルム
５４  名刺
【図１】
0003106107.tif 000003
【図２】
0003106107.tif 000004
【図３】
0003106107.tif 000005
【図４】
0003106107.tif 000006
【図５】
0003106107.tif 000007
【図６】
0003106107.tif 000008
【図７】
0003106107.tif 000009
【図８】
0003106107.tif 000010
【図９】
0003106107.tif 000011
【図１０】
0003106107.tif 000012